(57)【要約】いくつかの実施形態は、仮想化環境内に広告を提示することに関することができる。方法及び装置を提供することができる。方法は、バーチャルリアリティデバイスによって、ユーザのための仮想化環境を生成するステップを含むことができる。方法は、仮想化環境に広告を挿入するステップも含むことができる。方法は、ユーザが挿入された広告を閲覧したと判定するステップを更に含むことができる。方法は、ユーザが挿入された広告を閲覧するときのユーザの反応を判定するステップも含むことができる。方法は、ユーザの反応を記憶するステップを更に含むことができる。【選択図】  図１
2019514127.tif 000002
【特許請求の範囲】
【請求項１】
方法であって、
バーチャルリアリティデバイスによって、ユーザのための仮想化環境を生成するステップと、
前記仮想化環境に広告を挿入するステップと、
前記ユーザが前記挿入された広告を閲覧したと判定するステップと、
前記ユーザが前記挿入された広告を閲覧するときの前記ユーザの反応を判定するステップと、
前記ユーザの前記反応を記憶するステップと、
を含む、方法。
【請求項２】
前記広告を挿入する前記ステップが、個人向けにされた広告を挿入することを含み、
前記個人向けにされた広告が、前記ユーザのプロフィールに基づいて挿入された広告を含み、前記ユーザの前記プロフィールが、前記ユーザの特性を反映する、
請求項１に記載の方法。
【請求項３】
前記ユーザが前記挿入された広告を閲覧したと判定する前記ステップが、前記バーチャルリアリティデバイスによって前記ユーザの注視を追跡することと、前記注視が前記挿入された広告に向けられたと判定することとを含む、請求項１に記載の方法。
【請求項４】
前記反応を判定する前記ステップが、前記ユーザの感情的反応又は神経学的反応を判定することを含み、
前記ユーザの前記感情的反応又は神経学的反応が、脳波測定により判定される、
請求項１に記載の方法。
【請求項５】
前記ユーザの前記反応を記憶する前記ステップが、前記ユーザの前記プロフィールに従って前記反応を記憶することを含む、請求項２に記載の方法。
【請求項６】
装置であって、
少なくとも１つのプロセッサと、
コンピュータプログラムコードを含む少なくとも１つのメモリと、
を備えており、
前記少なくとも１つのメモリ及び前記コンピュータプログラムコードが、前記少なくとも１つのプロセッサを用いて、前記装置に、少なくとも、
ユーザのための仮想化環境を生成すること、
前記仮想化環境に広告を挿入すること、
前記ユーザが前記挿入された広告を閲覧したと判定すること、
前記ユーザが前記挿入された広告を閲覧するときの前記ユーザの反応を判定すること、および
前記ユーザの前記反応を記憶すること、
を実行させるように構成される、装置。
【請求項７】
前記広告を挿入することが、個人向けにされた広告を挿入することを含み、
前記個人向けにされた広告が、前記ユーザのプロフィールに基づいて挿入された広告を含み、前記ユーザの前記プロフィールが、前記ユーザの特性を反映する、
請求項６に記載の装置。
【請求項８】
前記ユーザが前記挿入された広告を閲覧したと判定することが、前記バーチャルリアリティデバイスによって前記ユーザの注視を追跡することと、前記注視が前記挿入された広告に向けられたと判定することとを含む、請求項６に記載の装置。
【請求項９】
前記反応を判定することが、前記ユーザの感情的反応又は神経学的反応を判定することを含み、
前記ユーザの前記感情的反応又は神経学的反応が、脳波測定により判定される、
請求項６に記載の装置。
【請求項１０】
前記ユーザの前記反応を記憶することが、前記ユーザの前記プロフィールに従って前記反応を記憶することを含む、請求項７に記載の装置。
【請求項１１】
非一時的コンピュータ可読媒体において具現化されたコンピュータプログラムであって、プロセッサによって実行されると、前記プロセッサに、
ユーザのための仮想化環境を生成すること、
前記仮想化環境に広告を挿入すること、
前記ユーザが前記挿入された広告を閲覧したと判定すること、
前記ユーザが前記挿入された広告を閲覧するときの前記ユーザの反応を判定すること、および
前記ユーザの前記反応を記憶すること、
を実行させるコンピュータプログラム。
【請求項１２】
前記広告を挿入することが、個人向けにされた広告を挿入することを含み、
前記個人向けにされた広告が、前記ユーザのプロフィールに基づいて挿入された広告を含み、前記ユーザの前記プロフィールが、前記ユーザの特性を反映する、
請求項１１に記載のコンピュータプログラム。
【請求項１３】
前記ユーザが前記挿入された広告を閲覧したと判定することが、前記バーチャルリアリティデバイスによって前記ユーザの注視を追跡することと、前記注視が前記挿入された広告に向けられたと判定することとを含む、請求項１１に記載のコンピュータプログラム。
【請求項１４】
前記反応を判定することが、前記ユーザの感情的反応又は神経学的反応を判定することを含み、
前記ユーザの前記感情的反応又は神経学的反応が、脳波測定により判定される、
請求項１１に記載のコンピュータプログラム。
【請求項１５】
前記ユーザの前記反応を記憶することが、前記ユーザの前記プロフィールに従って前記反応を記憶することを含む、請求項１２に記載のコンピュータプログラム。
【発明の詳細な説明】
【関連出願の相互参照】
【０００１】
[0001]本出願は、２０１６年４月１２日に出願された、米国仮特許出願第６２／３２１，５２８号の優先権を主張する。上記で言及した仮特許出願の内容全体が、参照により本明細書に援用される。
［背景］
［分野］
【０００２】
[0002]本発明のいくつかの実施形態は、仮想化環境内に広告を提示することに関することができる。
【関連技術の説明】
【０００３】
[0003]バーチャルリアリティは、物理的環境を生成／シミュレートすることができる。バーチャルリアリティのユーザは、シミュレートされた仮想化環境内でインタラクションすることができる。仮想化環境のイメージは、コンピュータスクリーンを介して、又はヘッドセットを介して表示することができる。仮想化環境は、現実世界の物理的場所に似ている場合もあるし、架空の世界の場所に似ている場合もある。
【概要】
【０００４】
[0004]第１の実施形態によれば、方法が、バーチャルリアリティデバイスによって、ユーザのための仮想化環境を生成するステップを含むことができる。方法は、仮想化環境に広告を挿入するステップも含むことができる。方法は、ユーザが挿入された広告を閲覧したと判定するステップを更に含むことができる。方法は、ユーザが挿入された広告を閲覧するときのユーザの反応を判定するステップも含むことができる。方法は、ユーザの反応を記憶するステップを更に含むことができる。
【０００５】
[0005]第１の実施形態の方法において、広告を挿入するステップは、個人向けにされた広告を挿入することを含み、個人向けにされた広告は、ユーザのプロフィールに基づいて挿入された広告を含み、ユーザのプロフィールは、ユーザの特性を反映する。
【０００６】
[0006]第１の実施形態の方法において、ユーザが挿入された広告を閲覧したと判定するステップは、バーチャルリアリティデバイスによってユーザの注視を追跡することと、注視が挿入された広告に向けられたと判定することとを含む。
【０００７】
[0007]第１の実施形態の方法において、反応を判定するステップは、ユーザの感情的反応又は神経学的反応を判定することを含み、ユーザの感情的反応又は神経学的反応は、脳波測定により判定される。
【０００８】
[0008]第１の実施形態の方法において、ユーザの反応を記憶するステップは、ユーザのプロフィールに従って反応を記憶することを含む。
【０００９】
[0009]第２の実施形態によれば、装置が、少なくとも１つのプロセッサを備えることができる。装置は、コンピュータプログラムコードを含む少なくとも１つのメモリも備えることができる。少なくとも１つのメモリ及びコンピュータプログラムコードは、少なくとも１つのプロセッサを用いて、装置に、少なくとも、ユーザのための仮想化環境を生成することを実行させるように構成することができる。装置に、仮想化環境に広告を挿入することを実行させることもできる。装置に、ユーザが挿入された広告を閲覧したと判定することを実行させることもできる。装置に、ユーザが挿入された広告を閲覧するときのユーザの反応を判定することを実行させることもできる。装置に、ユーザの反応を記憶することを実行させることもできる。
【００１０】
[00010]第２の実施形態の装置において、広告を挿入することは、個人向けにされた広告を挿入することを含み、個人向けにされた広告は、ユーザのプロフィールに基づいて挿入された広告を含み、ユーザのプロフィールは、ユーザの特性を反映する。
[0010]第２の実施形態の装置において、ユーザが挿入された広告を閲覧したと判定することは、バーチャルリアリティデバイスによってユーザの注視を追跡することと、注視が挿入された広告に向けられたと判定することとを含む。
【００１１】
[0011]第２の実施形態の装置において、反応を判定することは、ユーザの感情的反応又は神経学的反応を判定することを含み、ユーザの感情的反応又は神経学的反応は、脳波測定により判定される。
【００１２】
[0012]第２の実施形態の装置において、ユーザの反応を記憶することは、ユーザのプロフィールに従って反応を記憶することを含む。
【００１３】
[0013]第３の実施形態によれば、非一時的コンピュータ可読媒体においてコンピュータプログラム製品を具現化することができる。コンピュータプログラム製品は、第１の実施形態による方法を実行するようにプロセッサを制御するように構成することができる。
【００１４】
[0014]本発明の適切な理解のために、添付の図面が参照されるべきである。
【図面の簡単な説明】
【００１５】
【図１】図１は、本発明のいくつかの実施形態による、例示的な仮想化環境を示す。
【００１６】
【図２】図２は、本発明のいくつかの実施形態による、仮想化環境を生成し、広告を提示する例示的なシステムを示す。
【００１７】
【図３】図３は、本発明のいくつかの実施形態による方法のフローチャートを示す。
【００１８】
【図４】図４は、本発明のいくつかの実施形態による装置を示す。
【００１９】
【図５】図５は、本発明のいくつかの実施形態による別の装置を示す。
【詳細な説明】
【００２０】
[0020]本発明のいくつかの実施形態は、仮想化環境内に広告又は広告製品を挿入する広告システム／プラットフォームを対象とすることができる。挿入された広告／製品は、仮想化環境内でインタラクションしているユーザによって閲覧されることが意図される場合がある。
【００２１】
[0021]いくつかの実施形態の広告システムは、仮想化環境内の特定のユーザに基づいて、いずれの広告／製品が仮想化環境内に挿入されるべきかを判断することができる。例えば、特定のユーザのいくつかの特性により、対応するタイプの広告の挿入をトリガすることができる。例えば、ユーザが男性である場合、いくつかの実施形態は、男性向けの広告を提示することができる。代替的に、ユーザが女性である場合、いくつかの実施形態は、女性向けの広告を提示することができる。ユーザが１０代の若者である場合、いくつかの実施形態は、１０代の若者向けの広告を提示することができる。
【００２２】
[0022]いくつかの実施形態の広告システムは、特定のユーザの生成されたユーザプロフィールに基づいて、仮想化環境内にいずれの広告／製品が挿入されるべきかを判断することができる。特定のユーザの生成されたユーザプロフィールは、特定のユーザが、いずれの広告に興味を有する可能性が高いか、いずれの広告に反応する可能性が高いか、いずれの広告を他者と共有する可能性が高いか等を示す情報を含むことができる。換言すれば、以下でより詳細に説明されるように、挿入される広告は、特定のユーザのユーザプロフィールに従って特定のユーザのために個人向けにすることができる。
【００２３】
[0023]更に、いくつかの実施形態では、広告システムは、仮想化環境のタイプに基づいて広告を挿入することができる。例えば、仮想化環境がスポーツアリーナである場合、挿入される広告はスポーツ関連とすることができる。仮想化環境がテーマパークである場合、挿入される広告は、テーマパークの土産、記念品等を含むことができる。
【００２４】
[0024]図１は、本発明のいくつかの実施形態による例示的な仮想化環境１００を示す。上記で説明したように、ユーザは仮想化環境１００内でインタラクションすることができる。仮想化環境１００は、休暇先、野球場、架空の行き先、及び／又はユーザが好む任意の他の環境とすることができる。図１の例において、仮想化環境１００は、ヤシの木１１０、砂、波、雲等の物体、及び仮想化環境１００の効果を補完する他の物体を含むことができる。上記で説明したように、いくつかの実施形態は、いくつかの広告製品を仮想化環境に挿入することができる。例えば、ビール又はソフトドリンクのボトル１２０を仮想化環境に挿入してもよい。製品のタイプは、ユーザの判定された特性に基づいて決定することができる。例えば、２１歳未満のユーザの場合、いくつかの実施形態は、ビールのボトルではなくソフトドリンクのボトルを挿入することができる。
【００２５】
[0025]広告製品を挿入することに加えて、いくつかの実施形態は、仮想化環境内に広告メッセージも挿入することができる。例えば、図１の例において、広告メッセージは、例えば、ビーチタオル１３０、広告板１４０、飛行機のバナー１５０、及び雲１６０の中に現れてもよい。通常、広告メッセージ及び広告製品は、広告メッセージが仮想化環境の一部となるような任意の方式で仮想化環境内に一体化することができる。以下でより詳細に説明されるように、広告メッセージ／製品は、選択された仮想化環境に基づいて決定されてもよく（ビーチ環境の場合、ビーチタオル１３０等）、ユーザの判定された特性に基づいて個人向けにされてもよく（２１歳超のユーザの場合、ビールのボトル１２０等）、又はユーザについて判定されたプロフィールに基づいて個人向けにされてもよい。
【００２６】
[0026]仮想化環境１００に挿入された広告は、仮想化環境自体の中に途切れなく一体化されてもよく、又は仮想化環境内の物体であってもよい。図１に示す例に加えて、環境自体の中に一体化される広告は、例えば、仮想化環境の壁の看板、仮想化環境内の店頭、仮想化環境の建造物におけるメッセージ等を含んでもよい。環境内で物体として現れる広告は、環境内で移動している車両、仮想化環境内にある様々なグッズ、環境内のチラシ等を含むことができる。広告は、仮想化環境の建造物、物体及び人物に一体化されてもよい。
【００２７】
[0027]いくつかの実施形態では、仮想化環境とインタラクションするために、仮想化環境のユーザは、ユーザのための仮想化環境をシミュレート／生成するハードウェアを利用していてもよい。例えば、ユーザは、仮想化環境を生成するバーチャルリアリティヘッドセット又は眼鏡類を装着していてもよい。また、ユーザは、仮想化環境をシミュレート／生成するプロジェクションハードウェア（ｐｒｏｊｅｃｔｉｏｎ  ｈａｒｄｗａｒｅ）を用いてもよい。
【００２８】
[0028]いずれの場合も、ユーザのための仮想化環境を生成するハードウェアは、仮想化環境内に広告を挿入する広告システム／プラットフォームと協働することができる。したがって、仮想化環境が生成される際、広告システムは、生成された環境に広告及び／又は広告製品を挿入する。
【００２９】
[0029]仮想化環境を生成することに加えて、ハードウェアは、各特定の時点にユーザが何を見ているかを判定することができるように、ユーザの注視を追跡することもできる。例えば、いくつかの実施形態では、ハードウェアは、任意の所与の時点に仮想化環境内でユーザが何を見ているかを判定するために、ユーザが仮想化環境内でインタラクションする際のユーザの眼の動きを追跡することができる。いくつかの実施形態は、ユーザの眼と接触している視線追跡デバイス（すなわち、ユーザの眼の動きを追跡することができるコンタクトレンズ等）を利用してもよい。他の実施形態は、ユーザの眼と直接接触することなく眼の動きを測定する視線追跡デバイスを用いてもよい。他の実施形態は、ユーザの眼において又は眼の付近で神経の電気信号を測定することによって眼の動きを測定してもよい。
【００３０】
[0030]したがって、いくつかの実施形態では、ハードウェアは、ユーザが仮想化環境内でインタラクションしているとき、各瞬間にユーザが何を見ているかを追跡し記録することができる。
【００３１】
[0031]いくつかの実施形態では、ハードウェアは、広告システムと協働することができる。閲覧者の注視を追跡することによって、ハードウェアは、広告システムに、ユーザが仮想化環境内で広告を閲覧している時点を知らせる／示すことができる。次に、ハードウェアは、広告プラットフォームに、いずれの広告をユーザが閲覧したか、閲覧者が各広告をどの程度頻繁に閲覧しているか、各広告がどれだけ長く閲覧されているか、及び／又は閲覧者に各広告を閲覧させた周囲の状況を知らせることができる。いずれの広告が閲覧されているか、各広告がどの程度頻繁に閲覧されているか、各広告がどれだけ長く閲覧されているか、及び／又は周囲の状況を解析することによって、広告システムは、所与のユーザにとっていずれの広告が有効であり得るかに関する判定を開始することができる。例えば、ある広告が頻繁に閲覧されている場合、システムは、所与のユーザがその広告に対し肯定的に反応していると判定することができる。更に、広告が長い持続時間にわたって閲覧されている場合、システムは、所与のユーザがその広告に興味があると判定することができる。
【００３２】
[0032]閲覧パターンに基づいて広告の有効性に関する判定を行うことに加えて、いくつかの実施形態は、以下でより詳細に説明するように、ユーザが挿入された広告を閲覧する際の、ユーザの感情的及び／又は神経学的反応に基づいて広告の有効性を判定することもできる。
【００３３】
[0033]本発明のいくつかの実施形態は、ユーザが仮想化環境とインタラクションする際にユーザの感情的及び／又は神経学的反応を測定することができる。例えば、いくつかの実施形態は、ユーザが仮想化環境とインタラクションする際にユーザの脳波を測定するセンサを含むことができる。測定された脳波から、本発明のいくつかの実施形態は、各特定の時点におけるユーザの感情的状態又は神経学的状態に関する判定を行うことができる。
【００３４】
[0034]いくつかの実施形態では、センサは、仮想化環境を生成するヘッドセットと一体化してもよい。したがって、ユーザがヘッドセットを装着して仮想化環境に入る際、ユーザは、自身の神経学的及び／又は感情的反応が測定されることが可能であるように自身の頭部を適所に位置決めすることもできる。例えば、ユーザの脳波を測定することができる。更に、センサは、所与の反応の強度も判定することができる。
【００３５】
[0035]したがって、いくつかの実施形態では、広告システムが、ユーザが各特定の時点において何を閲覧しているかを追跡する際、いくつかの実施形態は、各特定の時点におけるユーザの感情的反応／神経学的反応も判定することができる。したがって、いくつかの実施形態では、広告システムは、閲覧者が異なる広告を閲覧するたびに、ユーザの感情的反応／神経学的反応を判定することができる。
【００３６】
[0036]したがって、様々な広告を閲覧しているときのユーザの感情的反応又は神経学的反応を広告システムが判定する際、広告プラットフォームは、このようにして、広告に対するユーザの反応をより正確に評価することができる。例えば、広告システムは、ユーザが広告に興味があるか又は興味がないかをより正確に判定することができる。
【００３７】
[0037]ユーザが仮想化環境内でインタラクションを続け、広告に対する反応を与え続ける（これらの反応は広告プラットフォームによって記録及び記憶される）際、広告プラットフォームは、ユーザのプロフィールを生成することができる。ユーザのプロフィールは、ユーザが様々な広告に対し、又は様々なタイプの広告に対しどのように反応するかを示す情報を含む。例えば、ユーザのプロフィールは、いずれの広告がユーザによって好まれるか又は嫌われるかを示すことができる。いくつかの実施形態では、ユーザのプロフィールは、いくつかの広告が、幸福、落着き、興奮、悲しみ、心配、郷愁、後悔、嫌悪、怒り、欲求、不安、誇り及び／又は恐れの感情を生成するか否かを示すことができる。ユーザのプロフィールは、ユーザの反応の強さも示すことができる。
【００３８】
[0038]ユーザのためのプロフィールが生成された後、広告プラットフォームは、このプロフィールに従って広告を提示することができる。したがって、広告プラットフォームは、ユーザに所望の反応をより効果的に生じさせる広告を提供することができる。ここで、所望の反応は、広告システムによって判定される。
【００３９】
[0039]広告システムは、収集されたデータを、インタフェース又はプリントアウトにより、広告システムの運用者に閲覧されるように提示することもできる。収集されたデータをインタフェース又はプリントアウトで閲覧することによって、広告システムの運用者は、いずれの広告が有効であるか、又は無効であるかをより迅速に評価することができる。
【００４０】
[0040]図２は、本発明のいくつかの実施形態による、仮想化環境を生成し広告を提示する例示的なシステム２１０を示す。例示的なシステム２１０のユニットは、バーチャルリアリティヘッドセット内に一体化することができる。代替的に、例示的なシステム２１０のいくつかのユニットは、バーチャルリアリティヘッドセットと別個であってもよい。本発明のいくつかの実施形態によれば、図２のシステム２１０は、仮想化環境を生成する仮想環境生成ユニット２２０と、ユーザの注視を追跡する視線追跡ユニット２４０と、神経学的反応を測定する反応ユニット２５０（例えば、センサ等）と、広告ユニット／プラットフォーム２３０とを備えることができる。
【００４１】
[0041]図２を参照すると、上記で説明されたように、ユーザは、仮想環境生成ユニット２２０によって生成された仮想環境に広告ユニット２３０によって挿入される、挿入された広告を閲覧することができる。ユーザが挿入された広告を閲覧した後、視線追跡ユニット２４０は、ユーザが挿入された広告を閲覧したことを検出／判定することができる。次に、反応ユニット２５０のセンサは、閲覧された広告に応じたユーザの感情的／神経学的反応を測定することができる。測定された反応は、広告ユニット２３０によって記憶することができる。次に、記憶された反応は、所与のユーザのプロフィールを生成することができる。次に、それに続いて、広告ユニット２３０は、所与のユーザの更新されたプロフィールに基づいて未来の広告を挿入することができる。
【００４２】
[0042]更に、本発明のいくつかの実施形態は、広告ユニット２３０がユーザプロフィール、広告トレンド、及び／又は広告に関する任意の他の結果についてのデータを表示することを可能にするユーザインタフェース２６０も含むことができる。データは、インタフェース２６０を介して、運用者又は広告専門家（ａｄｖｅｒｔｉｓｉｎｇ  ｐｒｏｆｅｓｓｉｏｎａｌ）に表示することができる。いくつかの実施形態は、運用者又は広告専門家によって閲覧される報告を生成する報告生成ユニット２７０も含むことができる。報告は、ユーザプロフィール、広告トレンド、及び／又は広告に関する任意の他の結果に関することができる。
【００４３】
[0043]上記に鑑みて、本発明のいくつかの実施形態は、広告主に、自身の広告を提示する新たな機会を与えることが可能であり得る。（テレビ又はラジオを介して提示される）従来の広告と比較して、いくつかの実施形態は、意図される閲覧者に対し個人向けにされた広告を挿入することができる。いくつかの実施形態は、いずれの広告が有効であるか、有効な広告を作成する機能、及び閲覧者が挿入された広告とどのようにインタラクションするかに関するより明確な指示を広告主に与えることができる。
【００４４】
[0044]  図３は、本発明のいくつかの実施形態による方法のフローチャートを示す。図３に示す方法は、３１０において、バーチャルリアリティデバイスによって、ユーザのための仮想化環境を生成するステップを含む。方法は、３２０において、仮想化環境に広告を挿入するステップも含むことができる。方法は、３３０において、ユーザが挿入された広告を閲覧したと判定するステップも含むことができる。方法は、３４０において、ユーザが挿入された広告を閲覧するときのユーザの反応を判定するステップも含むことができる。方法は、３５０において、ユーザの反応を記憶するステップも含むことができる。
【００４５】
[0045]図４は、本発明のいくつかの実施形態による装置１０を示す。図２及び図３における各ブロックは、ハードウェア、ソフトウェア、ファームウェア、１つ又は複数のプロセッサ及び／又は回路部等の種々の手段又はそれらの組み合わせによって実施することができることが理解されるべきである。実施形態において、装置１０は、例えば、仮想化環境（ヘッドセット又は何らかの他のバーチャルリアリティデバイス等）を生成するデバイスとすることができる。別の実施形態では、装置１０は、仮想化環境を生成するデバイスとは別個とすることができる、広告システムの機能を実施するデバイスとすることができる。装置１０は、図２に示すような、環境生成ユニット２２０、広告ユニット２３０、視線追跡ユニット２４０、反応ユニット２５０、ユーザインタフェース２６０、及び／又は報告生成ユニット２７０のうちの任意のものとして動作するように構成することもできる。更に、装置１０は、図５に示すような、装置５００の構成要素のうちの任意のものとして動作するように構成することができる。例えば、これは、生成ユニット５１０、挿入ユニット５２０、第１の判定ユニット５３０、第２の判定ユニット５４０、及び記憶ユニット５５０を含むことができる。１つの装置１０のみが図４に示されているが、２つ以上の装置１０がシステムとして様々な組み合わせで共に実施される場合もあり、独立して実施される場合もある。
【００４６】
[0046]装置１０は、情報を処理し、命令又は動作を実行するためのプロセッサ２２を備える。プロセッサ２２は、任意のタイプの汎用プロセッサ又は専用プロセッサとすることができる。単一のプロセッサ２２が図４に示されているが、他の実施形態によれば、複数のプロセッサが利用されてもよい。実際に、プロセッサ２２は、例として、汎用コンピュータ、専用コンピュータ、マイクロプロセッサ、デジタル信号プロセッサ（「ＤＳＰ」）、フィールドプログラマブルゲートアレイ（「ＦＰＧＡ」）、特定用途向け集積回路（「ＡＳＩＣ」）、及びマルチコアプロセッサアーキテクチャに基づくプロセッサのうちの１つ又は複数を含むことができる。
【００４７】
[0047]装置１０は、プロセッサ２２によって実行することができる情報及び命令を記憶するための、プロセッサ２２に結合されたメモリ１４を更に備える。メモリ１４は、１つ又は複数のメモリとすることができ、ローカルアプリケーション環境に適した任意のタイプとすることができ、半導体ベースのメモリデバイス、磁気メモリデバイス及びシステム、光メモリデバイス及びシステム、固定メモリ、並びにリムーバブルメモリ等の任意の適切な揮発性又は不揮発性データストレージ技術を用いて実施することができる。例えば、メモリ１４は、ランダムアクセスメモリ（「ＲＡＭ」）、読出し専用メモリ（「ＲＯＭ」）、磁気ディスク若しくは光ディスク等の静的記憶装置、又は任意の他のタイプの非一時的機械若しくはコンピュータ可読媒体の任意の組み合わせで構成することができる。メモリ１４に記憶された命令は、プロセッサ２２によって実行されると、装置１０が、図３に示されるものを含む、本明細書に記載のタスクを行うことを可能にするプログラム命令又はコンピュータプログラムコードを含むことができる。
【００４８】
[0048]装置１０は、装置１０に対し信号及び／又はデータを送受信するための１つ又は複数のアンテナ（図示せず）も含むことができる。装置１０は、情報を、アンテナ（複数可）によって送信するために搬送波波形に変調し、アンテナ（複数可）を介して受信した情報を、装置１０の他の要素によって更に処理するために復調する送受信機２８を更に含むことができる。他の実施形態では、送受信機２８は、信号又はデータを直接送受信することが可能であり得る。
【００４９】
[0049]プロセッサ２２は、限定ではないが、アンテナ利得／位相パラメータのプレコーディング、通信メッセージを形成する個々のビットの符号化及び復号、情報のフォーマット設定、並びに、通信リソースの管理に関連するプロセスを含む装置１０の全体制御を含む、装置１０の動作に関連付けられた機能を実行することができる。
【００５０】
[0050]実施形態において、メモリ１４は、プロセッサ２２によって実行されると機能を提供するソフトウェアモジュールを記憶する。モジュールは、装置１０のためのオペレーティングシステム機能を提供するオペレーティングシステム１５を含むことができる。メモリは、装置１０のための追加機能を提供するための、アプリケーション又はプログラム等の１つ又は複数の機能モジュール１８を記憶することもできる。装置１０の構成要素は、ハードウェアにおいて実施される場合もあるし、ハードウェア及びソフトウェアの任意の適切な組み合わせとして実施される場合もある。
【００５１】
[0051]１つの実施形態において、装置１０は、ユーザに対し仮想化環境を生成するように構成することができる。装置１０は、仮想環境に広告を挿入するように構成することもできる。装置１０は、ユーザが挿入された広告を閲覧したと判定するように構成することもできる。装置１０は、ユーザが挿入された広告を閲覧するときのユーザの反応を判定するように構成することもできる。装置１０は、ユーザの反応を記憶するように構成することもできる。
【００５２】
[0052]図５は、本発明のいくつかの実施形態による別の装置を示す。装置５００は、例えば、ヘッドセット又は何らかの他のバーチャルリアリティデバイスとすることができる。装置５００は、ユーザに対し仮想化環境を生成する生成ユニット５１０を含むことができる。装置５００は、仮想化環境に広告を挿入する挿入ユニット５２０も含むことができる。装置５００は、ユーザが挿入された広告を閲覧したと判定する第１の判定ユニット５３０も含むことができる。装置５００は、ユーザが挿入された広告を閲覧するときのユーザの反応を判定する第２の判定ユニット５４０も含むことができる。装置５００は、ユーザの反応を記憶する記憶ユニット５５０も含むことができる。
【００５３】
[0053]本発明の説明された特徴、利点及び特性は、１つ又は複数の実施形態において任意の適切な方式で組み合わせることができる。当業者であれば、本発明は、特定の実施形態の特定の特徴又は利点のうちの１つ又は複数がない状態で実施することができることを認識するであろう。他の例では、いくつかの実施形態において、本発明の全ての実施形態に存在するわけではない追加の特徴及び利点を認識することができる。当業者であれば、上記で論考した発明を、開示されたものと異なる順序のステップを用いて、及び／又は異なる構成のハードウェア要素を用いて実施することができることを容易に理解するであろう。したがって、本発明は、これらの好ましい実施形態に基づいて説明されたが、当業者には、本発明の趣旨及び範囲を維持しながら、いくつかの変更、変形及び代替的な構造が明らかであることが明らかであろう。
【図１】
2019514127.tif 000003
【図２】
2019514127.tif 000004
【図３】
2019514127.tif 000005
【図４】
2019514127.tif 000006
【図５】
2019514127.tif 000007
【国際調査報告】
2019514127.tif 000008
2019514127.tif 000009